(57)【要約】【課題】  電話網から電話機に対して給電を可能とすることにより、システム構成の簡素化を図ることが可能な特定番号付加装置を提供すること。【解決手段】  この特定番号付加装置１０は、電話機側インタフェース１１と電話網側インタフェース１２との間の接続線１５上の接点Ｐ１に接続され、電話機側インタフェース１１から入力された選択信号を検出する電話端末監視回路２１と、接続線１５上の接点Ｐ２に接続され、選択信号から先頭の所定桁を認識したタイミングで、選択信号に付加信号を付加して電話網側インタフェース１２に向けて順次送出する発信制御回路１７と、接点Ｐ１と接点Ｐ２との間に接続され、電話網側インタフェース１２から供給された直流電流を電話機側インタフェース１１側に通過させ、電話機側インタフェース１１から入力された選択信号を遮断する交流遮断回路１４とを備える。【選択図】図１
2007181073.tif 000002
【特許請求の範囲】
【請求項１】
電話機及び電話網側の電話回線に接続されて、前記電話機から送出されたダイヤルパルス信号又はＤＴＭＦ信号からなる選択信号に所定の識別番号を示す信号を付加して前記電話回線に送出する特定番号付加装置において、
アナログ回線を経由して前記電話機と接続される電話機側インタフェースと、
アナログ回線である前記電話回線と接続される電話網側インタフェースと、
前記電話機側インタフェースと前記電話網側インタフェースとの間の接続線上の第１の接点に接続され、前記電話機側インタフェースから入力された前記選択信号を検出する電話端末監視回路と、
前記接続線上の前記第１の接点から前記電話網側の第２接点に接続され、前記電話端末監視回路によって検出された前記選択信号から先頭の所定桁を認識したタイミングで、前記所定の識別番号を示す付加信号をダイヤルパルス信号又はＤＴＭＦ信号として前記電話網側インタフェースに向けて送出した後、前記選択信号を前記電話網側インタフェースに向けて順次送出する選択信号生成回路と、
前記接続線上の前記第１の接点と前記第２の接点との間に接続され、前記電話網側インタフェースから供給された直流電流を前記電話機側インタフェース側に通過させ、前記電話機側インタフェースから入力されたダイヤルパルス信号及びＤＴＭＦ信号を遮断する交流遮断回路と、
を備えることを特徴とする特定番号付加装置。
【請求項２】
前記電話機側インタフェース及び前記電話網側インタフェースは、２線式アナログ回線に接続可能とされており、
前記交流遮断回路は、
前記電話機側インタフェースと電話網側インタフェースとの間に両端が接続された２つの巻き線を含むバイファイラ巻きのインダクタを有する、
ことを特徴とする請求項１記載の特定番号付加装置。
【請求項３】
前記交流遮断回路は、
１０ｐｐｓ及び２０ｐｐｓのパルス速度を有するダイヤルパルス信号と６９７Ｈｚ〜１６３３Ｈｚの周波数帯域を有するＤＴＭＦ信号とを遮断する特性を有する、
ことを特徴とする請求項１又は２記載の特定番号付加装置。
【発明の詳細な説明】
【技術分野】
【０００１】
本発明は、電話機及び電話網側の電話回線に接続されて、電話機から送出された選択信号に所定の識別番号を付加する特定番号付加装置に関するものである。
【背景技術】
【０００２】
従来から、電話機から電話網側に発信時に送出される選択信号に対して、特定の付加番号を先頭に付加して電話網側に送出する装置が知られている。このような技術の例としては、下記特許文献１〜３記載のＬＣＲ（Least Cost Routing）装置が知られている。これらのＬＣＲ装置は、電話機に内蔵又は接続されて電話機から送られた選択信号に所定のアルゴリズムで特定した付加番号を付加して電話網へ出力する。
【特許文献１】特開２００１−７７９４６号公報
【特許文献２】特開平１１−２１５２６７号公報
【特許文献３】特開平８−１３０５９４号公報
【発明の開示】
【発明が解決しようとする課題】
【０００３】
一般に、アナログ電話網に接続された電話機は、電話網から供給された直流電流によって給電されるが、上述した従来のＬＣＲ装置が接続された電話機は、電話網からの直流電流によって給電を受けることが困難であった。これは、電話機が発呼状態になって発呼信号が流れてから電話網に選択信号の送出が開始されるまでの時間には上限（２０秒〜３０秒）が存在するためである。そのため、ＬＣＲ装置においては、発信側の電話機及び電話網と電気的に独立して接続されることによって、いったん電話機から選択信号を受信して選択番号を再生成した後に、電話網側に発呼を開始してその選択信号を送信する必要があった。
【０００４】
例えば、２０ｐｐｓのパルス速度でミニマムポーズ０．４５ｓｅｃのダイヤルパルス（ＤＰという）方式を採用する場合、電話機において１０桁の選択信号の送出時間は９．５秒であり、電話機の操作時間をその時間の３倍と想定すると、全体で電話機から選択信号を送出するのに要する時間は約３８秒となり、上述した上限を超えてしまう。周期が１２０ｍｓｅｃのＤＴＭＦ信号を採用した場合でも、選択信号の送出に要する時間は、計算上は４．８ｓｅｃであるが、操作時間を考慮すると２０ｓｅｃを超えてしまう場合がある。従って、ＬＣＲ装置における電話機が発呼したときのダイヤルトーン信号の検出時間（３ｓｅｃ以上）や、選択信号の最終桁の認識時間（３秒以上）等に必要な時間を考慮すると、電話機を電話網とを接続した状態で上限時間内に選択信号を再生成して送出することは困難であった。
【０００５】
その結果、従来のＬＣＲ装置では、電話機側に電話網からの直流電流を供給することができず、電話機側に給電電流を供給する手段が別途必要となり、システム構成が複雑化していた。
【０００６】
そこで、本発明は、電話網から電話機に対して給電を可能とすることにより、システム構成の簡素化を図ることが可能な特定番号付加装置を提供することを目的とする。
【課題を解決するための手段】
【０００７】
上記課題を解決するため、本発明の特定番号付加装置は、電話機及び電話網側の電話回線に接続されて、電話機から送出されたダイヤルパルス信号又はＤＴＭＦ信号からなる選択信号に所定の識別番号を示す信号を付加して電話回線に送出する特定番号付加装置において、アナログ回線を経由して電話機と接続される電話機側インタフェースと、アナログ回線である電話回線と接続される電話網側インタフェースと、電話機側インタフェースと電話網側インタフェースとの間の接続線上の第１の接点に接続され、電話機側インタフェースから入力された選択信号を検出する電話端末監視回路と、接続線上の第１の接点から電話網側の第２接点に接続され、電話端末監視回路によって検出された選択信号から先頭の所定桁を認識したタイミングで、所定の識別番号を示す付加信号をダイヤルパルス信号又はＤＴＭＦ信号として電話網側インタフェースに向けて送出した後、選択信号を電話網側インタフェースに向けて順次送出する選択信号生成回路と、接続線上の第１の接点と第２の接点との間に接続され、電話網側インタフェースから供給された直流電流を電話機側インタフェース側に通過させ、電話機側インタフェースから入力されたダイヤルパルス信号及びＤＴＭＦ信号を遮断する交流遮断回路とを備える。
【０００８】
このような特定番号付加装置においては、電話機側インタフェースを経由して電話機から入力された選択信号が、交流遮断回路によって電話網側に遮断されるとともに、選択信号生成回路によって選択信号の所定の先頭桁が認識されたタイミングで所定の識別番号を示す付加信号が電話網側に送出された後、選択信号の全桁が順次送出される。このとき、電話網側から電話網側インタフェースに入力された直流電流は、交流遮断回路を通過して電話機に供給される。これにより、電話機と電話網との間を接続したままで電話機からの発呼時に選択信号を高速に処理して送出することができ、電話機からの呼の接続確率が向上するとともに、特定番号付加装置において電話機側に給電電流を流すための給電手段を設ける必要が無いので、システム構成が簡素化される。
【０００９】
電話機側インタフェース及び電話網側インタフェースは、２線式アナログ回線に接続可能とされており、交流遮断回路は、電話機側インタフェースと電話網側インタフェースとの間に両端が接続された２つの巻き線を含むバイファイラ巻きのインダクタを有する、ことが好ましい。
【００１０】
かかる構成とすれば、交流遮断回路を構成するインダクタにおいて流れる直流電流が２つの巻き線から発生する磁束を相互に打ち消すことになり、インダクタのコア部の小型化と高いインダクタンス値の両立が容易となるので、装置全体の小型化が実現される。
【００１１】
また、交流遮断回路は、１０ｐｐｓ及び２０ｐｐｓのパルス速度を有するダイヤルパルス信号と６９７Ｈｚ〜１６３３Ｈｚの周波数帯域を有するＤＴＭＦ信号とを遮断する特性を有することも好ましい。こうすれば、選択信号の信号形式によらずに電話機から送出された選択信号を確実に電話網側に遮断することができる。
【発明の効果】
【００１２】
本発明の特定番号付加装置によれば、電話網から電話機に対して給電を可能とすることにより、システム構成の簡素化を図ることが可能となる。
【発明を実施するための最良の形態】
【００１３】
以下、図面を参照しつつ本発明に係る特定番号付加装置の好適な実施形態について詳細に説明する。なお、図面の説明においては同一又は相当部分には同一符号を付し、重複する説明を省略する。
【００１４】
図１は、本発明の好適な一実施形態である特定番号付加装置１０を含むアナログ電話システム１の構成を示す図である。同図に示すように、アナログ電話システム１は、アナログ電話機４０が、特定番号付加装置１０及び保安器３０を経由してアナログ電話網Ｎに接続されて構成されている。アナログ電話システム１においては、発呼時にアナログ電話機４０からアナログ電話網Ｎに向けてダイヤルパルス（以下、「ＤＰ」と言う。）信号又はＤＴＭＦ信号からなる選択信号を送出することにより、図示しない着呼先のアナログ電話機に対して通話接続の要求が可能とされている。以下、図２を参照して、特定番号付加装置１０の構成について説明する。
【００１５】
特定番号付加装置１０は、アナログ電話機４０と２線式のアナログ回線Ｗ１を経由して接続される電話機側インタフェース１１と、電話網Ｎ側と２線式のアナログ回線Ｗ２を経由して接続される電話網側インタフェース１２とを有している。これらの電話機側インタフェース１１及び電話網側インタフェース１２との間には、２つのインタフェース間を導通させるための接続線１５が接続され、この接続線１５上には、スルー回路１３のスイッチＳＷ及び交流遮断回路１４が、電話機側インタフェース１１から電話網側インタフェース１２に向かってこの順で接続されている。
【００１６】
スルー回路１３は、スイッチＳＷと接続線１６とを備えている。このスイッチＳＷは、交流遮断回路１４と電話機側インタフェース１１との間に設けられた３つの端子１８，１９，２０を有し、端子１８と端子１９，２０との間の接続を切り替えるための素子である。端子１８は接続線１５を介して電話機側インタフェース１１に接続され、端子１９，２０は、それぞれ、接続線１６の一端、及び交流遮断回路の一方の端子１４ａに接続されている。このような接続構成において、スイッチＳＷは、後述する発信制御回路（選択信号生成回路）１７による制御により、電話機側インタフェース１１側の端子１８を接続線１６の端子１９又は交流遮断回路１４の一方の端子１４ａのいずれかと接続するように切り替える。接続線１６は、スイッチＳＷの端子１９と交流遮断回路１４の他方の端子１４ｂとの間に接続されており、スイッチＳＷが端子１９側に切り替えられたときに、接続線１５上に接続されていた交流遮断回路１４を接続線１５から電気的に切断して、電話機側インタフェース１１と電話網側インタフェース１２との間を短絡させる役割を有する。
【００１７】
この接続線１５上の電話機側インタフェース１１とスイッチＳＷとの間の第１の接点Ｐ１には、アナログ電話機４０から電話機側インタフェース１１に向けて入力された選択信号を検出する電話端末監視回路２１が接続されている。電話端末監視回路２１は、選択信号に含まれるＤＰ信号及びＤＴＭＦ信号を検出して、選択信号の各桁の識別番号の認識結果を発信制御回路１７に出力する。例えば、アナログ電話機４０から、識別番号Ｘ１・・・Ｘｎ（ｎは正数）を表す選択信号が送出された場合は、電話端末監視回路２１は、各桁ずつリアルタイムで検出して、検出した識別番号Ｘ１，・・・，Ｘｎを順に発信制御回路１７に出力する。また、端末監視回路２１は、発信制御回路１７の制御により、電話機側インタフェース１１に向けてダイヤルトーンを生成して送出する。
【００１８】
さらに、接続線１５上の電話網側インタフェース１２と交流遮断回路１４との間、すなわち第１の接点Ｐ１より電話網側インタフェース１２側の第２の接点Ｐ２には、選択信号送出回路（選択信号生成回路）２２が接続されている。選択信号送出回路２２は、発信制御回路１７から順に入力される識別番号に基づいて、その識別番号に対応するＤＰ信号又はＤＴＭＦ信号を生成して電話網側インタフェース１２に向けて順次送出する。
【００１９】
発信制御回路１７は、ＣＰＵ等の演算回路で構成され、電話端末監視回路２１から入力された識別番号の先頭のｍ桁（ｍは、ｍ＜ｎの正数）を認識したタイミングで、その識別番号Ｘ１・・・Ｘｍが、予め指定された番号の列である場合には、その識別番号Ｘ１・・・Ｘｍに特定の識別番号（付加番号）Ｚ１・・・Ｚｋ（ｋは正数）を付加して、識別番号Ｚ１・・・ＺｋＸ１・・・Ｘｍを順次、選択信号送出回路２２に出力する。この付加番号Ｚ１・・・Ｚｋは、例えば、接続先の電気通信事業者を識別する情報として付加されるものである。なお、発信制御回路１７は、識別番号Ｘ１・・・Ｘｍの先頭が“１８４”や“１８６”等の特定番号である場合は、その特定番号のあとに付加番号を付加するように動作してもよい。さらに、発信制御回路１７は、電話端末監視回路２１からリアルタイムで送られる残りの桁の識別番号Ｘｍ＋１・・・Ｘｎを認識すると、その識別番号を識別番号Ｚ１・・・ＺｋＸ１・・・Ｘｍに続けて選択信号送出回路２２に出力する。ここで、発信制御回路１７は、電話網Ｎ側から供給されて交流遮断回路１４内を流れる直流電流Ｉ１に基づいて給電されることが可能なように構成されている。
【００２０】
また、発信制御回路１７は、所定条件で、スイッチＳＷを接続線１６側に切り替えて接続線１５から交流遮断回路１４を切断するように制御する機能も有する。この所定条件としては、識別番号の先頭が所定番号（例えば、“００００”）の場合、電話網Ｎ側からリングバックトーン、ビジートーン、極性反転を検出した場合、アナログ電話機４０側からオンフックを検出した場合、タイムアウトを検出した場合等がある。この場合、発信制御装置１７は、上述した付加番号の付加機能を停止する。
【００２１】
交流遮断回路１４は、スイッチＳＷの端子２０と電話網側インタフェース１２に繋がる端子１４ｂとの間に互いに並列に両端が接続された２つの巻き線２３ａ，２３ｂを含むバイファイラ巻きのインダクタ２３を含むローパスフィルタ素子である。交流遮断回路１４は、電話網側インタフェース１２側から供給された直流電流を、巻き線２３ａを介して電話機側インタフェース１１に通過させ、電話機側インタフェース１１から入力された選択信号が電話網側インタフェース１２側に流れないように遮断する。また、交流遮断回路１４は、電話網Ｎ側から送出されるダイヤルトーン、ビジートーン等の４００Ｈｚの周波数を有するコールプログレストーン（ＣＰＴ）をも電話機側インタフェース１１に流れないように遮断する。
【００２２】
すなわち、アナログ回線Ｗ２上には、電話網Ｎ側から所定電圧（例えば、−４８Ｖ）の直流電圧が供給されることにより、アナログ電話機４０に向けて直流電流が供給されている。その結果、電話網側インタフェース１２から入力された直流電流Ｉ１は、巻き線２３ａ，２３ｂのうちの一方を経由してアナログ電話機４０に送出され、アナログ電話機４０の内部のループ回路において折り返された直流電流Ｉ１が、、巻き線２３ａ，２３ｂのうちの他方を電話網側インタフェース１２に向けて流れることになる。ここで、２つの巻き線２３ａ，２３ｂはバイファイラ巻きにされているので、２つの巻き線から発生する磁束が互いに打ち消すことになるため、インダクタ２３のコア部を小型化しつつ高インダクタンス値を保つことができる。
【００２３】
一方、電話機側インタフェース１１から交流遮断回路１４に入力された選択信号には、ダイヤル速度が１０ｐｐｓ又は２０ｐｐｓのＤＰ信号、或いは６９７Ｈｚから１６３３Ｈｚの周波数帯域を有するＤＴＭＦ信号が含まれている。交流遮断回路１４は、このような選択信号の周波数帯域を遮断する特性を有しているため、選択信号を電話網側インタフェース１２側に流れ込まないように十分に遮断する。なお、交流遮断回路１４の遮断周波数としては、ＤＰ信号及びＤＴＭＦ信号を効果的に遮断するためには、１０Ｈｚ以下に設定されることが好適である。
【００２４】
次に、図３を参照して、アナログ電話機４０からの発呼時の特定番号付加装置１０の動作について説明する。
【００２５】
まず、スイッチＳＷが端子２０側に切り替えられた状態で、アナログ電話機４０においてオフフック及びダイヤル操作等の発呼操作が開始されると、電話網Ｎからダイヤルトーンが送出され、発信制御回路１７が電話機側インタフェース１１に向けてダイヤルトーンを再生成して送出するように制御する。（ステップＳ０１）。そうすると、アナログ電話機４０から特定番号付加装置１０に向けて選択信号が送出され、特定番号付加装置１０の電話端末監視回路２１は、選択信号に対応する識別番号Ｘ１，・・・，Ｘｎを先頭桁から順にリアルタイムで認識して発信制御回路１７に出力する（ステップＳ０２）。次に、発信制御回路１７は、識別番号の先頭からｍ桁を認識したか否かを判定する（ステップＳ０３）。判定の結果、未だ識別番号の先頭からｍ桁を認識していない場合は（ステップＳ０３；ＮＯ）、処理をステップＳ０２に移行する。
【００２６】
一方、識別番号の先頭からｍ桁を認識した場合は（ステップＳ０３；ＹＥＳ）、発信制御回路１７は、識別番号Ｘ１・・・Ｘｍが予め指定された番号の列であるか否かを判定する（ステップＳ０４）。その結果、識別番号Ｘ１・・・Ｘｍが予め指定された番号の列である場合は（ステップＳ０４；ＹＥＳ）、識別番号Ｘ１・・・Ｘｍに特定の付加番号Ｚ１・・・Ｚｋを付加して、識別番号Ｚ１・・・ＺｋＸ１・・・Ｘｍを順次、選択信号送出回路２２に出力し、選択信号送出回路２２は、その識別番号を選択信号として電話網Ｎへ送出する（ステップＳ０５）。その後、選択信号送出回路２２は、残りの桁の識別番号Ｘｍ＋１・・・Ｘｎを選択信号として電話網Ｎへ送出する（ステップＳ０６）。
【００２７】
一方、識別番号Ｘ１・・・Ｘｍが予め指定された番号の列でない場合は（ステップＳ０４；ＮＯ）、ステップＳ０６に移行して、発信制御回路１７は識別番号Ｘ１・・・Ｘｎを順次、選択信号送出回路２２に出力し、選択信号送出回路２２は、その識別番号を選択信号として電話網Ｎへ送出する（ステップＳ０６）。
【００２８】
そして、通話先の電話機が呼び出されると、リングバックトーン（ＲＢＴ）が電話網Ｎから特定番号付加装置１０に送出され、発信制御回路１７がそのリングバックトーンを検出する。このリングバックトーンの検出のほか、特定番号付加装置１０は、発信の完了又は中止の条件として、ビジートーン、アナログ電話機４０のオンフック、極性反転、タイムアウトなどを検出する（ステップＳ０７）。そして、発信制御回路１７は、発信の完了又は中止の条件を検出した場合に、スイッチＳＷを接続線１６側に切り替えてアナログ電話機４０と電話網Ｎとの間の接続線１５から交流遮断回路１４を切断する（ステップＳ０８）。
【００２９】
図４において、（ａ）は、電話端末監視回路２１が検出する選択信号のタイミングチャート、（ｂ）は、選択信号送出回路２２が送出する選択信号のタイミングチャートである。ここでは、選択信号の先頭４桁が所定の識別番号である場合に付加番号を付加するように動作させた場合を示す。
【００３０】
これらの図に示すように、アナログ電話機４０においてオフフックされることにより時刻ｔ＝ｔ１に電話網Ｎ側からダイヤルトーンが送出された後、電話端末監視回路２１によってダイヤルトーンが再生成されてアナログ電話機４０に送出される。その後、アナログ電話機４０においてダイヤル操作が行われると、選択信号の先頭の識別番号Ｘ１を検出したタイミングで、発信制御回路１７によってアナログ電話機４０へのダイヤルトーンの送出が停止される。このとき、電話網Ｎからのダイヤルトーンの送出は、選択信号送出回路２２から付加番号の１桁目Ｚ１が送出されるまで継続されるので、このダイヤルトーンがアナログ電話機４０へ流れないように交流遮断回路１４が遮断する。時刻ｔ＝ｔ２に電話端末監視回路２１によって選択信号から先頭４桁の識別番号Ｘ１・・・Ｘ４が検出される。その直後の時刻ｔ２から時刻ｔ１＋Δｔまでの間に、選択信号送出回路２２から電話網Ｎへ付加番号Ｚ１・・・Ｚ４に対応する選択信号の送出が開始される。この時間Δｔは、発呼時に電話網Ｎがアナログ電話機４０から選択信号を受け付け可能な上限時間である。さらに、付加番号Ｚ１・・・Ｚｋに続けて、選択信号送出回路２２から電話網Ｎへ識別番号Ｘ１・・・Ｘｎを表す選択信号が送出される。
【００３１】
以下、以上説明した特定番号付加装置１０の作用効果について説明する。
【００３２】
特定番号付加装置１０においては、電話機側インタフェース１１を経由してアナログ電話機４０から入力された選択信号が、交流遮断回路１４によって電話網Ｎ側に遮断されるとともに、選択信号送出回路２２によって選択信号Ｘ１・・・Ｘｎの所定の先頭桁Ｘ１・・・Ｘｍが認識されたタイミングで所定の識別番号Ｚ１・・・Ｚｋを示す付加信号が電話網Ｎ側に送出された後、選択信号の全桁Ｘ１・・・Ｘｎが順次送出される。このとき、電話網Ｎ側から電話網側インタフェース１２に入力された直流電流は、交流遮断回路１４を通過してアナログ電話機４０に供給されると同時に特定番号付加装置１０の発信制御回路１７にも供給される。これにより、アナログ電話機４０と電話網Ｎとの間を直流的に接続したままでアナログ電話機４０からの発呼時に選択信号を高速に処理して送出することができ、アナログ電話機４０からの呼の接続確率が向上するとともに、特定番号付加装置１０においてアナログ電話機４０側に給電電流を流すための余分な給電手段を設ける必要が無いので、システム構成が簡素化される。
【００３３】
また、交流遮断回路１４は、電話機側インタフェース１１と電話網側インタフェース１２との間に両端が接続された２つの巻き線を含むバイファイラ巻きのインダクタ２３を有するので、交流遮断回路１４を構成するインダクタ２３において流れる直流電流Ｉ１が２つの巻き線２３ａ，２３ｂから発生する磁束を相互に打ち消すことになり、インダクタ２３のコア部の小型化と高いインダクタンス値の両立が容易となるので、装置全体の小型化が実現される。
【００３４】
また、交流遮断回路１４は、１０ｐｐｓ及び２０ｐｐｓのパルス速度を有するＤＰ信号と６９７Ｈｚ〜１６３３Ｈｚの周波数帯域を有するＤＴＭＦ信号とを遮断する特性を有するので、選択信号の信号形式によらずにアナログ電話機４０から送出された選択信号を確実に遮断することができ、電話網Ｎ側に送出される選択信号の波形の歪みを低減することができる。
【図面の簡単な説明】
【００３５】
【図１】本発明の好適な一実施形態である特定番号付加装置１０を含むアナログ電話システム１の構成を示す図である。
【図２】図１の特定番号付加装置のブロック図である。
【図３】図１の特定番号付加装置の動作を示すフローチャートである。
【図４】（ａ）は、図２の電話端末監視回路が検出する選択信号のタイミングチャート、（ｂ）は、図２の選択信号送出回路が送出する選択信号のタイミングチャートである。
【符号の説明】
【００３６】
１０…特定番号付加装置、１１…電話機側インタフェース、１２…電話網側インタフェース、１３…スルー回路、１４…交流遮断回路、１５…接続線、１７…発信制御回路（選択信号生成回路）、２１…電話端末監視回路、２２…選択信号送出回路（選択信号生成回路）、４０…アナログ電話機、Ｉ１…直流電流、Ｎ…アナログ電話網、Ｐ１…第１接点、Ｐ２…第２接点、Ｗ１，Ｗ２…アナログ回線。    
【図１】
2007181073.tif 000003
【図２】
2007181073.tif 000004
【図３】
2007181073.tif 000005
【図４】
2007181073.tif 000006